(57)【要約】【課題】使用者は所望のコンテンツを記憶装置に記憶されているか否かを気にせず膨大なコンテンツを参照できるデータベースよりコンテンツを選択して再生することができるコンテンツ再生装置を提供する。【解決手段】このコンテンツ再生装置１００は、コンテンツデータに関する関連情報を蓄積したデータベースを参照するデータベース参照手段と、データベース参照手段により参照したデータベースよりコンテンツを選択する選択手段とを有し、選択されたコンテンツのコンテンツデータが記憶手段に記憶されている場合には記憶手段に記憶されているコンテンツデータを再生し、選択されたコンテンツのコンテンツデータが記憶手段に記憶されていない場合は、外部サーバよりコンテンツデータを入手する。【選択図】図１
2009128534.tif 000002
【特許請求の範囲】
【請求項１】
コンテンツデータを記憶する記憶手段と、
コンテンツデータを再生する再生手段と、
コンテンツデータに関する関連情報を蓄積したデータベースを参照するデータベース参照手段と、
前記データベース参照手段により参照したデータベースよりコンテンツを選択する選択手段と、
前記選択手段により選択されたコンテンツのコンテンツデータが、前記記憶手段に記憶されているか否かを判断する判断手段と、
前記判断手段において、前記選択手段により選択されたコンテンツのコンテンツデータが前記記憶手段に記憶されていると判断した場合は、該コンテンツの前記記憶手段に記憶されているコンテンツデータを前記再生手段により再生し、前記判断手段において、前記選択されたコンテンツのコンテンツデータが前記記憶手段に記憶されていないと判断した場合は、外部の記憶手段における再生可能な該コンテンツのコンテンツデータを検索する制御手段と、
を有することを特徴とするコンテンツ再生装置。
【請求項２】
前記制御手段は、前記判断手段により前記選択されたコンテンツのコンテンツデータが前記記憶手段に記憶されていないと判断した場合、前記選択されたコンテンツのコンテンツデータが前記記憶手段に記憶されていない旨をユーザに通知する通知手段を有することを特徴とする請求項１に記載のコンテンツ再生装置。
【請求項３】
前記制御手段は、前記外部の記憶手段における再生可能な該コンテンツのコンテンツデータの検索を、ネットワークを介して外部の記憶手段を検索するとともに、該コンテンツデータを入手するか否かの通知を行うと共に入手可否の選択をさせることを特徴とする請求項１に記載のコンテンツ再生装置。
【請求項４】
前記制御手段において入手すると選択された場合、該コンテンツデータを入手する入手手段を有することを特徴とする請求項３に記載のコンテンツ再生装置。
【請求項５】
前記コンテンツデータに関する関連情報を蓄積したデータベースは、ネットワークを介して参照する外部データベース、若しくはコンテンツ再生装置内に予め蓄積されているデータベースであることを特徴とする請求項１に記載のコンテンツ再生装置。
【請求項６】
コンテンツデータを記憶する記憶手段と、
コンテンツデータを再生する再生手段と、
コンテンツデータに関する関連情報を蓄積したデータベースを参照するデータベース参照手段と、
前記データベース参照手段により参照したデータベースよりコンテンツを選択する選択手段と、
前記選択手段により選択されたコンテンツのコンテンツデータが、前記記憶手段に記憶されているか否かを判断する判断手段と、
前記判断手段において、前記選択手段により選択されたコンテンツのコンテンツデータが前記記憶手段に記憶されていると判断した場合は、該コンテンツの前記記憶手段に記憶されているコンテンツデータを前記再生手段により再生し、前記判断手段において、前記選択されたコンテンツのコンテンツデータが前記記憶手段に記憶されていないと判断した場合は、外部の記憶手段における再生可能な該コンテンツのコンテンツデータを検索することを特徴とするコンテンツ再生方法。
【請求項７】
請求項６に記載のコンテンツ再生方法をコンピュータが制御可能にプログラミングしたことを特徴とするコンテンツ再生プログラム。
【発明の詳細な説明】
【技術分野】
【０００１】
本発明は、コンテンツ再生装置に関し、さらに詳しくは、コンテンツ再生装置に選択したコンテンツが保有されている否かに関わらず、使用者が聞きたいコンテンツを選択して再生する技術に関するものである。
【背景技術】
【０００２】
近年、オーディオ機器内にＨＤＤを内蔵した製品が多数発売されている。これらのオーディオ機器は、内蔵のＣＤプレーヤから楽曲ファイルをリッピングしてＨＤＤに保存・再生できる。又、ネットワークを介して外部サーバからコンテンツをダウンロードしてＨＤＤに保存・再生できる機器もある。このようなオーディオ機器では、ＨＤＤ内のコンテンツを再生する際、保存時に自動作成されたデータベースを利用して、ユーザインターフェースにより使用者がコンテンツを選択して再生させていた。又、ＣＤディスクにはタイトル等のメタ情報が記録されていないものが多い。そのため、ＣＤのコンテンツをメタ情報付で保存したり、再生時に情報表示できるように、メタ情報の集合体であるデータベースをネットワークを介して参照するか、予め機器内のＨＤＤに備えているデータベースを参照することによりリッピングしたコンテンツにコンテンツ名称やアーティスト名称、ジャンル情報などを付与している。このデータベースは現存するほとんどのＣＤアルバムに対し支障なく引き当てが可能な程度の枚数分を有している。
【０００３】
図５は従来のオーディオ機器によりコンテンツをリッピング、ダウンロード、及び再生する手順を説明する図である。ここでは、ＣＤＤＢなどのデータベース３４がオーディオ機器に予め記録されている場合について説明する。まず、ＣＤプレーヤ３０からＨＤＤ３２にリッピングする場合の手順について説明する。ＣＤプレーヤ３０がＴＯＣ情報を読み取り、ＨＤＤ３２内のデータベース３４のＴＯＣ情報３５と等しいデータを探す。次に、等しいＴＯＣ情報に相当するアルバム名３６、タイトル名３７、アーティスト名３８、ジャンル３９等のメタ情報をリッピングした楽曲ファイル４７のファイル名やタグ情報に引き当てる。次に、ファイル名やタグ情報が引き当てられ、それらの情報が付与された楽曲ファイル４７をＨＤＤ３２に保存する。そして、当該楽曲ファイルの保存先フォルダ情報４１を含むメタ情報（アルバム名４２、タイトル名４３、アーティスト名４４、ジャンル４５等）をＨＤＤ３２内の保存データベース４０に記録する。
【０００４】
次に、外部サーバ３３からコンテンツをダウンロードする手順について説明する。まず、外部サーバ３３とオーディオ機器１５０が提供するユーザインターフェースにより使用者は希望のコンテンツを選択してダウンロードする。その結果、予め指定されたＨＤＤ３２内のフォルダに、ダウンロードされた楽曲ファイルが保存される。そして、ダウンロードされた楽曲ファイルの保存先フォルダ情報４１を含むメタ情報（アルバム名４２、タイトル名４３、アーティスト名４４、ジャンル４５等）をＨＤＤ３２内の保存データベース４０に追記する。尚、ダウンロードされた楽曲ファイルには、予めメタ情報が入っている。
次に、ＨＤＤ３２内の希望のコンテンツを再生する手順について説明する。ＨＤＤ３２に保存されている保存データベース４０を基にしたユーザインターフェースにより、使用者は希望のコンテンツを選択、再生する。保存した楽曲ファイルについてアルバム名別、アーティスト名別、フォルダ名別等、使用者は夫々の表示法を選択してコンテンツを選択できる。
【０００５】
また、従来例として特許文献１には、複数のＣＤに記録されている曲の音楽情報を予め第１記憶手段に記憶しておき、ＣＤの各曲の音楽データをハードディスクに記憶する際、各曲の音楽情報を第１記憶手段から読みとって音楽データに付加して記憶し、音楽情報が第１記憶手段に記憶されていなければ、音楽情報を付加しないで音楽データを記憶し、かつ、ＣＤ識別情報とハードディスクにおける各曲の音楽データの保存場所とを第２記憶手段に保存し、第１記憶手段がバージョンアップした時、第２記憶手段に保存されているＣＤ識別情報が示すＣＤの音楽情報が該バージョンアップされた第１記憶手段に記憶されていれば、該第１記憶手段から読み取った曲の音楽情報を、第２記憶手段から読み取った保存場所の音楽データに付加する音楽データ記憶装置について開示されている。
【特許文献１】特開２００４−１８５７７０公報
【発明の開示】
【発明が解決しようとする課題】
【０００６】
しかしながら、図５に示す従来のオーディオ機器によるコンテンツの再生に関して、ＨＤＤ３２に保存されたコンテンツのみについて選択が可能であり、希望のコンテンツを選択できるとは限らないといった問題がある。また、希望のコンテンツがない場合は、新たに希望のコンテンツをダウンロードするなど他の操作が必要であり、煩わしいといった問題がある。
また、特許文献１に開示されている従来技術は、機器内にＣＤＤＢ情報を保有し、データを更新することが記載されており、ＣＤＤＢ情報がバージョンアップした際に、ＨＤＤに記憶されている音楽情報を正しく書き換えることはできるが、音楽情報がＨＤＤに記憶されていない場合は、ダウンロード等の他の操作が必要となるといった問題がある。
本発明は、かかる課題に鑑みてなされたものであり、記憶装置に記憶されているか否かに関わらず、使用者が聞きたいコンテンツを選択できるインターフェースを実現すると共に、選択したコンテンツが記憶装置に記憶されていないときは、外部サーバから自動的に当該コンテンツをダウンロードして記憶して再生することにより、使用者は希望のコンテンツが記憶装置に記憶されているか否かを気にせずコンテンツを選択して再生することができるコンテンツ再生装置を提供することを目的とする。
【課題を解決するための手段】
【０００７】
本発明はかかる課題を解決するために、請求項１は、コンテンツデータを記憶する記憶手段と、コンテンツデータを再生する再生手段と、コンテンツデータに関する関連情報を蓄積したデータベースを参照するデータベース参照手段と、前記データベース参照手段により参照したデータベースよりコンテンツを選択する選択手段と、前記選択手段により選択されたコンテンツのコンテンツデータが、前記記憶手段に記憶されているか否かを判断する判断手段と、前記判断手段において、前記選択手段により選択されたコンテンツのコンテンツデータが前記記憶手段に記憶されていると判断した場合は、該コンテンツの前記記憶手段に記憶されているコンテンツデータを前記再生手段により再生し、前記判断手段において、前記選択されたコンテンツのコンテンツデータが前記記憶手段に記憶されていないと判断した場合は、外部の記憶手段における再生可能な該コンテンツのコンテンツデータを検索する制御手段と、を有することを特徴とする。
コンテンツ再生装置の操作者は、自分が聞きたいコンテンツが記憶部に記憶されているか否かを気にせずに、適時にコンテンツが聴けることを望んでいる。従って、コンテンツ再生装置は、コンテンツが選択されると、記憶部に記憶されているか否かを検索して、記憶されていなければ、ネットワークをアクセスして選択されたコンテンツのダウンロード操作を自動的に実行してコンテンツを記憶する。これにより、操作者は、自分が聞きたいコンテンツが記憶部に記憶されているか否かを気にせずに操作することができる。
【０００８】
請求項２は、前記制御手段は、前記判断手段により前記選択されたコンテンツのコンテンツデータが前記記憶手段に記憶されていないと判断した場合、前記選択されたコンテンツのコンテンツデータが前記記憶手段に記憶されていない旨をユーザに通知する通知手段を有することを特徴とする。
ネットワークを介して外部サーバからコンテンツをダウンロードする場合、必ず１曲ごとに課金される。従って、自動的にダウンロードを行なわずに、選曲されたコンテンツが記憶部に記憶されていないことを検出すると、操作表示部にコンテンツが記憶されていない旨を表示する様にしても良い。これにより、記憶されていないコンテンツのメディアを購入するか、レンタルするか、ダウンロードするかを選択することができる。
【０００９】
請求項３は、前記制御手段は、前記外部の記憶手段における再生可能な該コンテンツのコンテンツデータの検索を、ネットワークを介して外部の記憶手段を検索するとともに、該コンテンツデータを入手するか否かの通知を行うと共に入手可否の選択をさせることを特徴とする。
ネットワークを介して外部サーバからコンテンツをダウンロードする場合、必ず１曲ごとに課金される。従って、自動的にダウンロードを行なわずに、選曲されたコンテンツが記憶部に記憶されていないことを検出すると、ダウンロードを実行するか否かの意思を操作者に持たせるようにする。これにより、ダウンロードを実行するか否かを再確認させることができる。
【００１０】
請求項４は、前記制御手段において入手すると選択された場合、該コンテンツデータを入手する入手手段を有することを特徴とする。
コンテンツを入手する方法には、メタ情報の集合体であるデータベースをネットワークを介して参照するか、予めＨＤＤなどの機器内に備えているデータベースを参照することにより可能である。また、リッピングしたコンテンツには、コンテンツ名称やアーティスト名称、ジャンル情報などが付与されているので、それらの何れかを入力することにより、データベースに記憶されたメタ情報と比較され、一致するコンテンツが存在すると、そのコンテンツのデータを読み出して再生手段により再生する。これにより、操作者は、コンテンツ情報として自分の知っている名前等を入力するだけでコンテンツを再生することができる。
請求項５は、前記コンテンツデータに関する関連情報を蓄積したデータベースは、ネットワークを介して参照する外部データベース、若しくはコンテンツ再生装置内に予め蓄積されているデータベースであることを特徴とする。
【００１１】
請求項６は、コンテンツデータを記憶する記憶手段と、コンテンツデータを再生する再生手段と、コンテンツデータに関する関連情報を蓄積したデータベースを参照するデータベース参照手段と、前記データベース参照手段により参照したデータベースよりコンテンツを選択する選択手段と、前記選択手段により選択されたコンテンツのコンテンツデータが、前記記憶手段に記憶されているか否かを判断する判断手段と、前記判断手段において、前記選択手段により選択されたコンテンツのコンテンツデータが前記記憶手段に記憶されていると判断した場合は、該コンテンツの前記記憶手段に記憶されているコンテンツデータを前記再生手段により再生し、前記判断手段において、前記選択されたコンテンツのコンテンツデータが前記記憶手段に記憶されていないと判断した場合は、外部の記憶手段における再生可能な該コンテンツのコンテンツデータを検索することを特徴とする。
本発明は、請求項１と同様の作用効果を奏する。
請求項７は、請求項６に記載のコンテンツ再生方法をコンピュータが制御可能にプログラミングしたことを特徴とする。
本発明のコンテンツ再生方法をコンピュータが制御可能なＯＳに従ってプログラミングすることにより、そのＯＳを備えたコンピュータであれば同じ処理方法により制御することができる。
【発明の効果】
【００１２】
本発明によれば、コンテンツ再生装置は、膨大なコンテンツを参照できるデータベースより所望のコンテンツを選択することができ、コンテンツが選択されると、記憶部に記憶されているか否かを検索して、記憶されていなければ、ネットワークをアクセスして選択されたコンテンツのダウンロード操作を自動的に実行してコンテンツを記憶するので、操作者は、所望のコンテンツが記憶部に記憶されているか否かを気にせずに操作することができる。
【発明を実施するための最良の形態】
【００１３】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の実施形態に係るコンテンツ再生装置の構成を示す図である。このコンテンツ再生装置１００は、コンテンツを増幅再生するスピーカ１とアンプ部２とＤ／Ａ変換器（ＤＡＣ）３を有するオーディオ再生部（再生手段）２０と、コンテンツデータを記憶する記憶手段となる内蔵ＨＤＤ／メモリ（ＨＤＤまたはメモリの意味：以下、単に内蔵ＨＤＤと呼ぶ）１７と、コンテンツが記録されたＣＤ（メディア）を駆動するＣＤプレーヤ１６と、コンテンツの信号を処理するＤＳＰ４と、音楽ＣＤに収録されたコンテンツに関する情報を格納したＣＤＤＢ（ＣＤ Data Base）を参照してコンテンツを選択するために、表示部１４ａと操作部１４ｂを有する操作表示部（選択手段）１４と、全体を制御するシステムマイコン（制御手段、判断手段）１３と、ネットワーク１１を介して外部サーバ１８と接続するネットワーク・インターフェース１２と、を備えて構成されている。また、ＤＳＰ４には、外部メモリとしてメモリカード７を挿入するメモリカードスロット６、ＵＳＢメモリ９を接続するＵＳＢコントローラ８ａと、ＨＤＤ／ＤＡＰ（外付けＨＤＤドライブ若しくはＤＡＰ（Digital Audio Player）の意味）１０を接続するＵＳＢコントローラ８ｂを備えている。また、ネットワーク・インターフェース１２には、ネットワーク１１が接続され、外部サーバ１８から音楽情報をダウンロードすることができる。
即ち、システムマイコン１３は、操作表示部１４により選曲されたコンテンツが内蔵ＨＤＤ１７に記憶されていないことを検出すると、ネットワーク・インターフェース１２を介して外部サーバ１８から、選曲されたコンテンツのコンテンツデータを自動的にダウンロードして内蔵ＨＤＤ１７に記憶する。
【００１４】
また、コンテンツ再生装置１００の操作者は、自分が聞きたいコンテンツのコンテンツデータが内蔵ＨＤＤ１７に記憶されているか否かを気にせずに、適時にコンテンツが再生できることを望んでいる。従って、システムマイコン１３は、コンテンツが操作表示部１４により選択されると、内蔵ＨＤＤ１７に記憶されているか否かを検索して、記憶されていなければ、ネットワーク１１をアクセスして外部サーバ１８に接続して、選択されたコンテンツのダウンロード操作を自動的に実行してコンテンツのコンテンツデータを内蔵ＨＤＤ１７記憶する。これにより、操作者は、自分が聞きたいコンテンツが内蔵ＨＤＤ１７に記憶されているか否かを気にせずに操作することができる。また、内蔵ＨＤＤ１７は予めＣＤＤＢなどのデータベースが記憶されており、ネットワークなどにより最新データに更新可能である。また、内蔵ＨＤＤ１７にデータベースを記憶する態様の他に、専用メモリカード７にデータベースを記録するようにしてもよい。これにより、情報量の大きさに応じた記憶メディアを選択することができる。
【００１５】
図２は本発明の第１の実施形態に係るコンテンツ再生装置の動作を説明するフローチャートである。まず、操作表示部１４により内蔵ＨＤＤ１７のデータベース２１を参照してコンテンツを選択する（Ｓ１）。次に、選択されたコンテンツ情報と保存先フォルダ情報とを比較して、一致するコンテンツの有無により保有／非保有を判断する（Ｓ２）。保有している場合は（Ｓ２でＹｅｓ）、対象コンテンツを内蔵ＨＤＤ１７から選択して（Ｓ３）、そのコンテンツをＤＳＰ４によりデコードして再生する（Ｓ４）。即ち、選択されたコンテンツ情報は、アルバム名２３、タイトル名２４、アーティスト名２５、ジャンル２６等の情報である。従ってデータベース２１に記憶されたメタ情報を選択することにより、コンテンツが存在すると、そのコンテンツのコンテンツデータを読み出してオーディオ再生部２０により再生する。これにより、操作者は膨大なコンテンツの中から所望のコンテンツを再生することができる。
【００１６】
一方、ステップＳ２で選択されたコンテンツのコンテンツデータを保有していない場合は（Ｓ２でＮｏ）、ネットワーク１１に接続が可能な状態かを判断して（Ｓ５）、接続が可能であれば（Ｓ５でＹｅｓ）、ネットワーク・インターフェース１２によりネットワーク１１を介してユーザが登録しているコンテンツ配信サービスや、コンテンツ再生装置１００が対応しているコンテンツ配信サービスに接続する。そして、選択コンテンツが購入可能であれば（Ｓ６でＹｅｓ）、ユーザが登録しているコンテンツ配信サービスの場合は、購入決定すると（Ｓ７でＹｅｓ）、登録内容に応じて課金され、ユーザが登録していない配信サービスであった場合は、登録有無の確認や対象コンテンツの試聴（一部分のみ再生）で有ってもよい。次に、選択コンテンツの購入を決定すると、ダウンロード或いはストリーミング受信を行い（Ｓ８）、内蔵ＨＤＤ１７に記憶して、そのコンテンツをＤＳＰ４によりデコードして再生する（Ｓ４）。尚、ステップＳ５〜Ｓ７において、判断結果がＮｏの場合は、何もせずに終了する。
即ち、システムマイコン１３は、選択されたコンテンツのコンテンツデータが内蔵ＨＤＤ１７に記憶されていないと判断した場合は、ネットワーク１１を介して外部サーバ１８より選択されたコンテンツを検索し、選択されたコンテンツのコンテンツデータが内蔵ＨＤＤ１７に記憶されていると判断した場合は、内蔵ＨＤＤ１７に記憶されているコンテンツをオーディオ再生部２０により再生する。
【００１７】
また、コンテンツを入手する方法には、メタ情報の集合体であるデータベースをネットワーク１１を介して参照するか、予め内蔵ＨＤＤ１７などの機器内に備えているデータベースを参照することにより可能である。また、リッピングしたコンテンツには、コンテンツ名称やアーティスト名称、ジャンル情報などが付与されているので、それらの何れかを選択することにより、データベースに記憶されたメタ情報と比較され、そのコンテンツのコンテンツデータを読み出してオーディオ再生部２０により再生する。これにより、操作者は、コンテンツ情報として自分の知っている名前等を選択するだけでコンテンツを再生することができる。
また、入手するコンテンツが多数ある場合は、ダウンロードに時間を要する場合がある。そこで、ストリーミングにより入手する場合は、ダウンロードすると同時にコンテンツをオーディオ再生部２０により再生する。また、ダウンロードの場合は、一旦、全てのコンテンツを内蔵ＨＤＤ１７に記憶した後に、オーディオ再生部２０により再生する。これにより、入手方法の違いにより、コンテンツの再生タイミングを最適にすることができる。
【００１８】
図３は本発明の第２の実施形態に係るコンテンツ再生装置の動作を説明するフローチャートである。同じ動作には図２と同じステップ番号を付し、説明を省略する。図４が図２と異なる点は、ステップ２において、選択されたコンテンツを保有していないと判断された場合は（Ｓ２でＮｏ）、操作表示部１４に選択されたコンテンツを保有していない旨を表示し、さらに、選択されたコンテンツの入手を行うか否かを表示する（Ｓ２０）。これによりユーザが操作表示部１４により選択されたコンテンツの入手を行う選択を行った場合（Ｓ２１でＹｅｓ）はステップＳ５に進み、コンテンツの入手を行わない選択を行った場合（Ｓ２１でＮｏ）は処理を終了する。
即ち、ネットワーク１１を介して外部サーバ１８からコンテンツをダウンロードする場合、必ず１曲ごとに課金される。従って、自動的にダウンロードを行なわずに、選曲されたコンテンツが内蔵ＨＤＤ１７に記憶されていないことを検出すると、表示部１４ａにコンテンツが記憶されていない旨を表示する様にしても良い。これにより、記憶されていないコンテンツのメディアを購入するか、レンタルするか、或いはオンラインで入手するかを選択することができる。
【００１９】
また、ダウンロードを実行するか否かの意思を操作者に持たせるようにする。これにより、ダウンロードを実行するか否かを再確認させることができる。選曲されたコンテンツ情報は、アルバム名２３、タイトル名２４、アーティスト名２５、ジャンル２６等の情報である。従って、それらの何れかを選択することにより、一致するコンテンツが存在しない場合は、操作表示部１４にダウンロードを実行するか否かの指示が表示される。操作者は、その指示に基づいて、ダウンロードを実行する場合は、ダウンロード実行を選択する。それにより、ネットワーク・インターフェース１２を介して外部サーバ１８から選曲されたコンテンツをダウンロードして内蔵ＨＤＤ１７に記憶する。これにより、ダウンロードを実行するか否かを再確認させることができる。
【００２０】
図４は、本発明のオーディオ機器によりコンテンツをリッピング、ダウンロード、及び再生する手順を説明する図である。まず、ＣＤプレーヤ１６から内蔵ＨＤＤ１７にリッピングする場合の手順について説明する。ＣＤプレーヤ１６がＴＯＣ情報２２を読み取り、内蔵ＨＤＤ１７内のデータベース２１のＴＯＣ情報２２と等しいデータを探す。次に、等しいＴＯＣ情報に相当するアルバム名２３、タイトル名２４、アーティスト名２５、ジャンル２６等のメタ情報をリッピングした楽曲ファイル１９のファイル名やタグ情報に引き当てる。次に、ファイル名やタグ情報が引き当てられたコンテンツファイル１９を内蔵ＨＤＤ１７に保存する。そして、当該楽曲ファイルの保存先フォルダ情報２７を内蔵ＨＤＤ１７に追記する。
次に、外部サーバ１８からコンテンツをダウンロードする手順について説明する。まず、選択したコンテンツのアルバム名２３、タイトル名２４、アーティスト名２５を外部サーバ１８に送信する。次に、外部サーバ１８にてアルバム名２３、タイトル名２４、アーティスト名２５が一致するコンテンツを抽出してコンテンツ再生装置１００に送信する。コンテンツ再生装置１００は、ダウンロードされたコンテンツを内蔵ＨＤＤ１７に保存して再生する。そして、データベース２１には保存先フォルダ情報２７を追記する。
【００２１】
次に、内蔵ＨＤＤ１７内の希望のコンテンツを再生する手順について説明する。内蔵ＨＤＤ１７に保存されているデータベース２１を基にしたユーザインターフェースにより、使用者は希望のコンテンツを操作表示部１４により選択、再生する。現存する殆どのＣＤのコンテンツについてアルバム名別、タイトル名別、アーティスト名別等、使用者は夫々の表示法を選択してコンテンツを選択できる。次に、選択したコンテンツについて、保存先フォルダ情報２７が記録されていれば内蔵ＨＤＤ１７内の当該コンテンツを再生する。選択したコンテンツについて、保存先フォルダ情報２７が記録されていなければ、当該コンテンツをネットワーク１１を介して外部サーバ１８からダウンロードして内蔵ＨＤＤ１７に保存して再生する。通常ダウンロードに際しては課金されるため、希望コンテンツが保存されていない場合は、その旨を表示するだけにしたり、ダウンロードするか否かをユーザインターフェース上で使用者に選択させるようにしても良い。
尚、選曲時に参照するデータベース２１は、内蔵ＨＤＤ１７内に予め記録されたＣＤＤＢなどのデータベースに対して保存先フォルダ情報２７を付記したものを説明したが、ネットワーク１１を介した外部サーバにおけるＣＤＤＢなどのデータベースを参照可能に検索してもよい。この場合は保存先フォルダ情報２７のみを自機の内蔵ＨＤＤ等に保存することとしてもよい。
【００２２】
本発明は、上述した実施形態のみに限定されたものではない。上述した実施形態のコンテンツ再生装置１００を構成する各機能をそれぞれプログラム化し、あらかじめＣＤ−ＲＯＭ等の記録媒体に書き込んでおき、コンピュータに搭載したＣＤ−ＲＯＭドライブのような媒体駆動装置にこのＣＤ−ＲＯＭ等を装着して、これらのプログラムをコンピュータのメモリあるいは記憶装置に格納し、それを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
尚、プログラムを格納する記録媒体としては半導体媒体（例えば、ＲＯＭ、不揮発性メモリカード等）、光媒体（例えば、ＤＶＤ、ＭＯ、ＭＤ、ＣＤ等）、磁気媒体（例えば、磁気テープ、フレキシブルディスク等）等のいずれであってもよい。
【００２３】
また、ロードしたプログラムを実行することにより上述した実施形態の機能が実現されるだけでなく、オペレーティングシステムあるいは他のアプリケーションプログラム等と共同して処理することによって上述した実施形態の機能が実現される場合も含まれる。
市場に流通させる場合には、可搬型の記録媒体にプログラムを格納して流通させたり、インターネット等を介して接続されたサーバコンピュータの記憶装置にプログラムを格納しておき、インターネット等を通じて他のコンピュータに転送することもできる。この場合、このサーバコンピュータの記憶装置も本発明の記録媒体に含まれる。
なお、コンピュータでは、可搬型の記録媒体上のプログラム、または転送されてくるプログラムを、コンピュータに接続した記録媒体にインストールし、そのインストールされたプログラムを実行することによって上述した実施形態の機能が実現される。また、図２におけるＳ５〜Ｓ７、及び図３におけるＳ２１〜Ｓ７の各々においてＮｏと選択された場合、図示されたように終了せず、再度ＣＤＤＢを参照したコンテンツの選択（Ｓ１）に戻っても良い。
【図面の簡単な説明】
【００２４】
【図１】本発明の実施形態に係るコンテンツ再生装置の構成を示す図である。
【図２】本発明の第１の実施形態に係るコンテンツ再生装置の動作を説明するフローチャートである。
【図３】本発明の第２の実施形態に係るコンテンツ再生装置の動作を説明するフローチャートである。
【図４】本発明のコンテンツ再生装置によりコンテンツをリッピング、ダウンロード、及び再生する手順を説明する図である。
【図５】従来のコンテンツ再生装置によりコンテンツをリッピング、ダウンロード、及び再生する手順を説明する図である。
【符号の説明】
【００２５】
１  スピーカ、２  アンプ部、３  ＤＡＣ、４  ＤＳＰ、６  メモリカードスロット、７  メモリカード、８  ＵＳＢコントローラ、９  ＵＳＢメモリ、１０  ＨＤＤ／ＤＡＰ、１１  ネットワーク、１２ネットワーク・インターフェース、１３  システムマイコン、１４  操作表示部、１６  ＣＤプレーヤ、１７  内蔵ＨＤＤ／メモリ、１８  外部サーバ、１９  コンテンツファイル、２１  データベース、２２  ＴＯＣ情報、２３  アルバム名、２４  タイトル名、２５  アーティスト名、２６  ジャンル、２７  保存先フォルダ情報、１００  コンテンツ再生装置
【図１】
2009128534.tif 000003
【図２】
2009128534.tif 000004
【図３】
2009128534.tif 000005
【図４】
2009128534.tif 000006
【図５】
2009128534.tif 000007